(57)【要約】【課題】リサイクル性の向上等を図りつつ、外観品質の低減防止を図ることのできる遊技機を提供する。【解決手段】パチンコ機１の遊技盤５には、その略中央部において可変表示装置１４が取着されている。可変表示装置１４の両側に位置する普通入賞チャッカー１１は、下部コーナー飾りユニットの一部として構成されている。下部コーナー飾りユニットは、電飾部材を覆う透光カバーを備えている。透光カバーの前面側には絵柄凸部が突設され、当該絵柄凸部には塗装が施されている。また、背面側には絵柄凸部に対応する位置において、透光カバーの材質を意味する記号が表記されている。【選択図】　　　　　図１
2004073359.tif 000002
【特許請求の範囲】
【請求項１】
遊技者に特定の遊技価値を付与可能な遊技機であって、
当該遊技機を構成する複数の構成部材のうちの少なくとも１つにおいて、当該部材の材質名又はその材質を意味する記号を表記するとともに、当該材質表記を視認困難又は視認不能とする隠蔽手段を設けたことを特徴とする遊技機。
【発明の詳細な説明】
【０００１】
【発明の属する技術分野】
本発明は、パチンコ機等の遊技機に関するものである。
【０００２】
【従来の技術及び発明が解決しようとする課題】
従来、遊技機の一種として、遊技球の挙動に起因して種々の遊技状態が導出されるパチンコ機が知られている。
【０００３】
近年、パチンコ機では、構成部材のリサイクル等を行う点において、構成部材の材質を分別しやすくするため、構成部材にその材質を表記するようになってきている。
【０００４】
ところが、比較的遊技者の目に止まりやすい部分、例えば遊技盤や前面枠等に配設される装飾部材等に上記表記がされている場合には、美感を損なうとともに、遊技者に対して様々な誤解を生じさせるおそれがあった。結果として、興趣が低下してしまうおそれがあった。
【０００５】
本発明は、上述した問題に鑑みてなされたものであって、その目的は、リサイクル性の向上等を図りつつ、遊技機の外観品質を極力低減させず、遊技者にとっての興趣の低下を極力防ぐことのできる遊技機を提供することにある。
【０００６】
【課題を解決するための手段及びその効果】
上記の目的を達成するために有効な手段を以下に示す。なお、必要に応じてその作用等についても説明する。
【０００７】
手段１．遊技者に特定の遊技価値を付与可能な遊技機であって、
当該遊技機を構成する複数の構成部材のうちの少なくとも１つにおいて、当該部材の材質名又はその材質を意味する記号を表記するとともに、当該材質表記を視認困難又は視認不能とする隠蔽手段を設けたことを特徴とする遊技機。
【０００８】
上記手段１によれば、所定の構成部材には上記材質表記が施されるとともに、当該材質表記が視認困難又は視認不能となる隠蔽手段が設けられている。従って、前記材質表記を施すことにより美感を損ねたり、遊技者に様々な誤解を生じさせるといった不具合の発生が低減される。結果として、リサイクル性の向上等を図りつつ、遊技機の外観品質を極力低減させず、遊技者にとっての興趣の低下を極力防ぐことができる。さらに、隠蔽手段が設けられている箇所に対応して材質表記が施されているため、遊技機の解体作業等を行うに際して作業者が材質表記を見つけやすくなり、構成部材の分別作業等を行いやすくなる。
【０００９】
手段２．手段１において、前記材質表記が施された構成部材は、透明部材又は半透明部材であって、
前記透明部材又は半透明部材の所定面側において、前記材質表記が施されるとともに、前記隠蔽手段が設けられていることを特徴とする遊技機。
【００１０】
上記手段２によれば、透明部材又は半透明部材の所定面側において、前記材質表記が施されるとともに、前記隠蔽手段が設けられている。従って、材質表記と隠蔽手段が透明部材又は半透明部材の異なる面にそれぞれ設けられている場合に比べて、例えば隠蔽手段が設けられていない部分から透明部材又は半透明部材を通して材質表記を視認するようなことも困難となるため、より確実に材質表記を視認困難又は視認不能とすることができる。
【００１１】
手段３．手段２において、前記透明部材又は半透明部材は、略鉛直方向に沿った略平板部を有し、当該略平板部の前面側において、前記材質表記が施されるとともに、前記隠蔽手段が設けられていることを特徴とする遊技機。
【００１２】
上記手段３によれば、前記略平板部に材質表記が施されている。このため、上記隠蔽手段を設けない場合には、透明部材又は半透明部材の反対側の面より当該材質表記が比較的見やすくなってしまうおそれがある。従って、上記隠蔽手段を設ける効果が大きくなる。
【００１３】
手段４．遊技者に特定の遊技価値を付与可能な遊技機であって、
当該遊技機を構成する複数の構成部材のうち透明部材又は半透明部材の少なくとも１つにおいて、その背面側に当該部材の材質名又はその材質を意味する記号を表記し、その前面側に当該材質表記を視認困難又は視認不能とする隠蔽手段を設けたことを特徴とする遊技機。
【００１４】
上記手段４によれば、透明部材又は半透明部材には上記材質表記が施されるとともに、当該材質表記が視認困難又は視認不能となる隠蔽手段が設けられている。透明部材又は半透明部材に材質表記を施した場合、従来では当該材質表記が反対側から視認されてしまうといったおそれがあった。しかし、上記構成とすることにより、透明部材又は半透明部材において、材質表記を視認困難又は視認不能とすることができる。従って、前記材質表記を施すことにより美感を損ねたり、遊技者に様々な誤解を生じさせるといった不具合の発生が低減される。結果として、リサイクル性の向上等を図りつつ、遊技機の外観品質を極力低減させず、遊技者にとっての興趣の低下を極力防ぐことができる。なお、透明部材又は半透明部材には着色されたものが含まれる。さらに、隠蔽手段が設けられている箇所に対応して材質表記が施されているため、遊技機の解体作業等を行うに際して作業者が材質表記を見つけやすくなり、構成部材の分別作業等を行いやすくなる。
【００１５】
手段５．手段４において、前記透明部材又は半透明部材は、略鉛直方向に沿った略平板部を有し、当該略平板部の背面側に前記材質表記が施され、前面側に前記隠蔽手段が設けられていることを特徴とする遊技機。
【００１６】
上記手段５によれば、前記略平板部に材質表記が施されている。このため、上記隠蔽手段を設けない場合には、透明部材又は半透明部材の反対側の面より当該材質表記が比較的見やすくなってしまうおそれがある。従って、上記隠蔽手段を設ける効果が大きくなる。
【００１７】
手段６．遊技者に特定の遊技価値を付与可能な遊技機であって、
所定の光照射手段と、当該光照射手段の前面側に透光性を有する透光カバーとを備え、
透光カバーの入射面側において、当該部材の材質名又はその材質を意味する記号を表記し、その出射面側に当該材質表記を視認困難又は視認不能とする隠蔽手段を設けたことを特徴とする遊技機。
【００１８】
上記手段６によれば、透光カバーには上記材質表記が施されるとともに、当該材質表記が視認困難又は視認不能となる隠蔽手段が設けられている。透光カバーに材質表記を施した場合、従来では当該材質表記が反対側から視認されてしまうといったおそれがあった。しかし、上記構成とすることにより、透光カバーにおいて、材質表記を視認困難又は視認不能とすることができる。従って、前記材質表記を施すことにより美感を損ねたり、遊技者に様々な誤解を生じさせるといった不具合の発生が低減される。結果として、リサイクル性の向上等を図りつつ、遊技機の外観品質を極力低減させず、遊技者にとっての興趣の低下を極力防ぐことができる。なお、透光性を有する透光カバーには、透明又は半透明の材料によって構成されたもの、又それが着色されたものが含まれる。さらに、隠蔽手段が設けられている箇所に対応して材質表記が施されているため、遊技機の解体作業等を行うに際して作業者が材質表記を見つけやすくなり、構成部材の分別作業等を行いやすくなる。
【００１９】
手段７．手段６において、前記透光カバーは、前記光照射手段と略対向し、かつ、略鉛直方向に沿った略平板部を有し、
当該略平板部の背面側に前記材質表記が施され、前面側に前記隠蔽手段が設けられていることを特徴とする遊技機。
【００２０】
上記手段７によれば、材質表記が施されている部分が、当該材質表記を比較的見やすい略平板部であるため、上記隠蔽手段を設ける効果が大きくなる。
【００２１】
手段８．手段１乃至手段７のいずれかにおいて、前記隠蔽手段は、被膜部であることを特徴とする遊技機。
【００２２】
上記手段８によれば、より確実に上記材質表記を視認困難又は視認不能とすることができる。前記被膜として、塗料を塗装したり、シール部材を貼ったり、金属コーティングを施すこと等により前記隠蔽手段を比較的簡単に設けることができるとともに、部品点数の増大を防ぐことができる。
【００２３】
手段９．手段８において、前記被膜部は特定形状に象られていることを特徴とする遊技機。
【００２４】
上記手段９によれば、被膜部が、特定形状例えば、物体、生物や幾何学図形等を象った形状に象られていることにより、装飾性が高まる。結果として、遊技機の外観品質が向上し、遊技者にとっての興趣の向上を図ることができる。なお、一般的に、前記材質表記は、材質名を略したアルファベット２文字と、当該アルファベットを記号“＞”及び“＜”で挟んだ形式で表記されることが多い。従って、材質表記を施すためには、所定方向に最低４文字分以上のスペースを必要とする。このため、前記特定形状は、前記所定方向に長い略長尺状のものがより好ましい。このようにすれば、被膜しなくともよい無駄な部分を極力減らすことができ、上記効果をさらに高めることができる。
【００２５】
手段１０．手段１乃至手段７のいずれかにおいて、前記隠蔽手段は、前記前面側に設けられた凸部、凹部又は凹凸部と、当該凸部、凹部又は凹凸部に設けられた被膜部とによって構成されていることを特徴とする遊技機。
【００２６】
上記手段１０によれば、より確実に上記材質表記を視認困難又は視認不能とすることができる。前記被膜として、塗料を塗装したり、シール部材を貼ったり、金属コーティングを施すこと等によって、前記隠蔽手段を比較的簡単に設けることができるとともに、部品点数の増大を防ぐことができる。なお、前記凹凸部には、シボ加工が施されることによって形成されたものが含まれる。
【００２７】
手段１１．手段１０において、前記凸部、凹部又は凹凸部は、特定形状に象られていることを特徴とする遊技機。
【００２８】
上記手段１１によれば、凸部、凹部又は凹凸部が、特定形状例えば、物体、生物や幾何学図形等を象った形状に象られていることにより、装飾性が高まる。結果として、遊技機の外観品質が向上し、遊技者にとっての興趣の向上を図ることができる。なお、一般的に、前記材質表記は、材質名を略したアルファベット２文字と、当該アルファベットを記号“＞”及び“＜”で挟んだ形式で表記されることが多い。従って、材質表記を施すためには、所定方向に最低４文字分以上のスペースを必要とする。このため、前記特定形状は、前記所定方向に長い略長尺状のものがより好ましい。このようにすれば、被膜しなくともよい無駄な部分を極力減らすことができ、上記効果をさらに高めることができる。
【００２９】
手段１２．手段８乃至手段１１のいずれかにおいて、前記被膜部は、少なくとも所定方向からの光又はその一部を遮る遮光性を有することを特徴とする遊技機。
【００３０】
上記手段１２によれば、被膜部が光又はその一部を遮ることで、より確実に上記材質表記を視認困難又は視認不能とすることができる。
【００３１】
手段１３．手段１乃至手段７のいずれかにおいて、前記隠蔽手段は、前記前面側に設けられた凹凸部であることを特徴とする遊技機。
【００３２】
上記手段１３によれば、前記凹凸部によって光が乱反射され、上記材質表記を視認困難又は視認不能とすることができる。前記隠蔽手段を比較的簡単に設けることができるとともに、部品点数の増大を防ぐことができる。なお、前記凹凸部には、シボ加工が施されることによって形成されたものが含まれる。
【００３３】
手段１４．手段１乃至手段１３のいずれかにおいて、前記遊技機はパチンコ機であること。中でも、パチンコ機の基本構成としては、操作ハンドルを備えておりそのハンドル操作に応じて遊技球を遊技盤面上に発射させ、遊技球が遊技盤を流下し、遊技盤に配設された所定の入賞手段に入賞することに基づいて、特定条件が成立した場合には特別遊技価値が付与される。
【００３４】
手段１５．手段１乃至手段１３のいずれかにおいて、前記遊技機はスロットマシンであること。ここで、スロットマシンの構成としては、「複数の識別情報からなる識別情報列（具体的にはリールであり、識別情報はリールに付されたシンボルである）を変動表示（具体的にはリールの回動である）した後に識別情報を確定停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技価値を付与する遊技価値付与手段を備えたスロットマシン」となる。なお、スロットマシンにあっては、前記リール等を具備する可変表示手段を可変表示装置として捉えてもよいし、前記リールとは別途設けられ、前記識別情報に対応する（疑似的な対応であってもよい）識別情報を表示可能な表示装置（例えば液晶表示装置）をここにいう可変表示装置として捉えてもよい。
【００３５】
手段１６．手段１乃至手段１３のいずれかにおいて、遊技機はパチンコ機とスロットマシンとを融合させた遊技機であること。中でも、前記融合させた遊技機の基本構成としては、「複数の識別情報からなる識別情報列（具体的にはリールであり、識別情報はリールに付されたシンボルである）を変動表示（具体的にはリールの回動である）した後に識別情報を確定停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技価値を付与する遊技価値付与手段とを備え、遊技媒体として遊技球を使用するとともに、前記識別情報の変動開始に際しては所定数の遊技球を必要とし、特別遊技価値としての特別遊技状態の発生に際しては多くの遊技球が払い出されるよう構成されてなる遊技機」となる。なお、かかる遊技機にあっては、前記リール等を具備する可変表示手段を可変表示装置として捉えてもよいし、前記リールとは別途設けられ、前記識別情報に対応する（疑似的な対応であってもよい）識別情報を表示可能な表示装置（例えば液晶表示装置）をここにいう可変表示装置として捉えてもよい。
【００３６】
【発明の実施の形態】
以下、パチンコ遊技機（以下、単に「パチンコ機」という）の一実施の形態を、図面に基づいて詳細に説明する。
【００３７】
図１に示すように、パチンコ機１は、外枠２と、該外枠２の前部に設けられ外枠２の一側部にて開閉可能に支持された前面枠３とを備えている。
【００３８】
前面枠３の前面側にはガラス扉枠４が開閉自在に設けられている。前面枠３の後側（ガラス扉枠４の奥、外枠２の内側）には、遊技盤５が着脱可能に装着されている。
【００３９】
ガラス扉枠４の下方には、遊技球Ｂを貯留するための球受皿としての上皿６が設けられている。また、前面枠３の前面下部には、ほぼ中央部において球受皿としての下皿７が設けられている。下皿７の側方には、遊技球発射用ハンドル８が設けられている。ハンドル８は図示しない遊技球発射装置に連結されており、遊技者がハンドル８を回転させることにより、遊技球Ｂが遊技球発射装置から発射される。
【００４０】
遊技盤５には、ルータ加工が施されることによって複数の開口部が形成されており、各開口部には、普通入賞チャッカー１１、可変入賞装置１２、作動チャッカー１３、可変表示装置１４、スルーチャッカー１５等が配設されている。
【００４１】
遊技盤５の一側部には、遊技球発射装置によって発射される遊技球Ｂを遊技盤５の上部に案内する内レール１６ａ及び外レール１６ｂが設けられている。内レール１６ａの下端部付近において、遊技盤５には遊技球Ｂを導出するアウト口１７が形成されている。そして、遊技盤５の下部に流下した遊技球Ｂの多くは、このアウト口１７を通って図示しない球排出路へと案内される。本実施の形態では、遊技盤５のうち内レール１６ａ及び外レール１６ｂによって囲まれ、可変表示装置１４等が配設された部分が、遊技球Ｂが流下可能な遊技領域となっている。
【００４２】
さて、可変表示装置１４は、液晶表示部２０と、該液晶表示部２０を囲むように設けられたセンターフレーム２１とを備えている。
【００４３】
液晶表示部２０には、例えば左図柄列、中図柄列及び右図柄列の３つの表示列が表示される。各図柄列は識別情報としての複数の図柄によって構成されており、これら図柄が各図柄列毎にスクロールするように可変表示される。
【００４４】
より詳しくは、可変表示装置１４の下方に設けられた作動チャッカー１３に遊技球Ｂが入球することに基づいて、可変表示装置１４の液晶表示部２０の図柄が可変表示される。そして、停止された図柄の組合せが予め設定した特定の組合せとなった場合には特別遊技価値が付与される。すなわち、大当たり状態が発生し、可変入賞装置１２の大入賞口が所定の開放状態となり（具体的には所定時間、所定回数だけ開く）、遊技球Ｂが入賞しやすい状態になる。なお、可変入賞装置１２は、通常、遊技球Ｂが入賞できない状態又は入賞し難い状態になっている。
【００４５】
また、周知のとおり、前記普通入賞チャッカー１１、可変入賞装置１２、作動チャッカー１３に遊技球Ｂが入球することに基づいて、上皿６又は下皿７に対し所定数の景品球（遊技球Ｂ）が払い出される。また、遊技盤５には、遊技球Ｂの流下方向を適宜分散、調整等するために多数の釘（但し便宜上、符号を省略する）が植設されているとともに、風車等の各種部材（役物）が配設されている。上記釘や風車等によって本実施の形態における案内手段が構成される。
【００４６】
さて、本実施の形態では、上記普通入賞チャッカー１１は、下部コーナー飾りユニット５１の一部として構成されている。次には、当該下部コーナー飾りユニット５１の詳細について説明する。
【００４７】
下部コーナー飾りユニット５１は、遊技盤５面の両側部（作動チャッカー１３の両側方）に設けられている。図２，３に示すように、当該下部コーナー飾りユニット５１は、遊技盤５に取付けられる基部５２を備えている。基部５２の上下には、比較的大きな上部開口部５３及び下部開口部５４が形成されているとともに下部開口部５４の近傍には、２つの入賞開口部５５，５６が形成されている。
【００４８】
上部開口部５３に対応して、その前面側には第１のカバー６１が固定されている。また、第１のカバー６１の内部（背面側）には装飾品として岩部材６２が収容されている。さらに、岩部材６２の背面側において前記基部５２には、ランプ基板６３が取着固定されている。岩部材６２及びランプ基板６３によって本実施の形態における光照射手段が構成される。
【００４９】
一方、基部５２に形成された前記下部開口部５４並びに入賞開口部５５，５６の前面側に対応して、カバー部材７１が取着されている。カバー部材７１には、前記普通入賞チャッカー１１を構成する２つの入賞通路７２，７３が一体形成されている。また、入賞通路７２，７３の背面側において、前記基部５２には、遊技球Ｂの入球を検出可能な検出スイッチ７４，７５が取付けられている。さらに、前記下部開口部５４に対応して、基部５２の背面側には、第２のカバー７６、岩部材７７及びランプ基板７８が取着されている。
【００５０】
第１及び第２のカバー６１，７６は、基本的には無色透明の合成樹脂材料、本実施の形態においてはポリカーボネートにより構成されている。また、各岩部材６２，７７は青色の透光性を有する樹脂材料により構成され、表面には無数の凹凸がランダムに形成されており、遊技者が岩礁をイメージしうるよう構成されている。さらに、ランプ基板６３，７８は、基板６３ａ，７８ａ上に複数のＬＥＤ６３ｂ，７８ｂが搭載されることによって構成されている。
【００５１】
ここで、上部開口部５３に対応する第１のカバー６１の構成についてより詳細に説明する。第１のカバー６１は、本実施の形態における透光カバー、又は、透明部材或いは半透明部材を構成する。
【００５２】
図３，４に示すように、第１のカバー部材６１は、無色透明の平板部８１と、平板部８１の周縁から背面側に延びる側壁部８２とを備えている。本実施の形態では、側壁部８２に隣接して、略円筒状をなすボス部８３が背面側に延びるようにして複数箇所に一体形成されている。ボス部８３には、ねじ穴８４が形成されている。そして、該ねじ穴８４と、前記基部５２に形成された挿通孔５２ａとが位置合わせされた状態でねじ止めされることで、第１のカバー６１が基部５２に対し取付けられている。
【００５３】
さて、無色透明の平板部８１の前面側（出射面側）には、魚をモチーフにした特定形状の絵柄凸部８５が突設され、当該絵柄凸部８５には所定の塗装が施されている。絵柄凸部８５の部分は、前記塗装により遮光性を有している。絵柄凸部８５及びその塗装部によって本実施の形態における隠蔽手段が構成されている。
また、前記塗装部によって本実施の形態における被膜部が構成されている。
【００５４】
また、図４に示すように、平板部８１の背面側（入射面側）には、絵柄凸部８５のうちの１つの背面側に対応するように第１のカバー６１の材質を意味する記号「ＰＣ」が記号“＞”及び“＜”に挟まれて表記されている。なお、本実施の形態における表記は、第１のカバー６１の成形時に、記号「＞ＰＣ＜」の部分が平板部８１の背面より突出するように形成されることにより行われる。
【００５５】
第１のカバー６１のように透光性を有する部材に材質表記を施した場合、従来では当該材質表記が表側から視認されてしまうおそれがあった。しかし、上記構成とすることにより、第１のカバー６１において、材質表記を視認困難又は視認不能とすることができる。従って、前記材質表記を施すことにより美感を損ねたり、遊技者に様々な誤解を生じさせるといった不具合の発生が低減される。結果として、リサイクル性の向上等を図りつつ、パチンコ機１の外観品質を極力低減させず、遊技者にとっての興趣の低下を極力防ぐことができる。
【００５６】
さらに、絵柄凸部８５が設けられている箇所に対応して材質表記が施されているため、パチンコ機１の解体作業等を行うに際して作業者が材質表記を見つけやすくなり、構成部材の分別作業等を行いやすくなる。
【００５７】
絵柄凸部８５が魚をモチーフにしたものとなっていることから、装飾性が高められ、結果として、パチンコ機１の外観品質が向上し、遊技者にとっての興趣の向上を図ることができる。さらに、魚のように横長のものをモチーフとしていることで、上述したように４文字分以上のスペースを必要とする材質表記を、被膜しなくともよい無駄な部分を極力減らしつつ隠すことができる。
【００５８】
尚、上述した実施の形態の記載内容に限定されず、例えば次のように実施してもよい。
【００５９】
（ａ）上記実施の形態では、第１のカバー６１においてのみ、材質表記及びそれを隠す隠蔽手段（絵柄凸部８５及びその塗装部）が設けられているが、これに限らず、他のカバー部材例えばカバー部材７１、第２のカバー７６に材質表記及び隠蔽手段を設けた構成としてもよい。また、背後にＬＥＤ等の電飾部材を備えているか否か（カバー部材であるか否か）に関わらず他の部材、例えば前面枠３、ハンドル８、可変入賞装置１２、作動チャッカー１３、可変表示装置１４、スルーチャッカー１５等を構成する構成部材であって透明又は半透明のもの等において、材質表記及びそれを隠す隠蔽手段を設けた構成としてもよい。
【００６０】
（ｂ）上記実施の形態では、材質表記は、各構成部材の材質を意味する記号により行われているが、これに代えて、材質名が表記されるようにしてもよい。例えば「ポリカーボネート」と表記されるようにしてもよい。
【００６１】
（ｃ）上記実施の形態では、第１のカバー６１はポリカーボネートにより形成されている。しかし、これに限らず、成形可能な樹脂であれば特に制限はなく、例えばポリエチレン、ポリプロピレン、エチレン−プロピレンコポリマー、ポリスチレン、ＡＢＳ、ＡＥＳ、ＡＳ、アクリル樹脂、ポリメチルベンゼン、ポリアミド、ポリエチレンテレフタレート、ポリブチレンテレフタレート、ポリアリレート、ポリアセタール、ポリフェニレンエーテル、ポリスルホン、ポリフェニレンスルフィド、ポリエーテルサルホン、ポリブタジエン等、又はこれらポリマーの共重合体、混合物、変性物等があげられる。なお、上記各構成部材が、透光性又は視認性を有するもので、透明又は半透明のもの又は染料や顔料等によって着色されているものであっても何ら差し支えない。
【００６２】
（ｄ）上記実施の形態では、魚をモチーフにした絵柄凸部８５が突設され、当該絵柄凸部８５に所定の塗装が施されている。これに限らず、平板部８１に、絵柄凸部を突設することなく、所定の塗装によって魚をモチーフにした絵柄が付された構成としてもよい。また、絵柄凸部８５に代えて絵柄凹部又は凹凸部が設けられた構成としてもよい。さらに、絵柄凸部８５に被膜部としての塗装を施す代わりに、シボ加工を施した（凹凸のある）構成としてもよいし、シール部材を貼ったり、金属コーティングを施した構成としてもよい。
【００６３】
（ｅ）上記実施の形態おける材質表記は、第１のカバー６１の成型時に、記号「＞ＰＣ＜」の部分が平板部８１の背面より突出するように形成されることにより行われる。これに限らず、後方ステージ部材７１の成型後に、記号「ＰＣ」の部分を刻印することにより行うようにしてもよい。
【００６４】
（ｆ）透明又は半透明部材でない構成部材の所定面側に材質表記及びそれを隠す隠蔽手段を設けた構成としてもよい。例えば前面枠３、ハンドル８、可変入賞装置１２、作動チャッカー１３、可変表示装置１４、スルーチャッカー１５等を構成する構成部材であって透明又は半透明部材でないもの等において、材質表記及びそれを隠す隠蔽手段を設けた構成としてもよい。
【００６５】
（ｇ）上記実施の形態では、材質表記とそれを隠す隠蔽手段とが、第１のカバー６１（透明又は半透明部材）の前面側と背面側とに別々に設けられた構成となっているが、これに限らず、第１のカバー６１（透明又は半透明部材）の所定面側（前面側又は背面側）において　　材質表記及びそれを隠す隠蔽手段を設けた構成としてもよい。このようにすれば、隠蔽手段が設けられていない部分から透明又は半透明部材を通して材質表記を視認するようなことが困難となるため、より確実に材質表記を視認困難又は視認不能とすることができる。
【００６６】
（ｈ）本発明は、上記実施の形態とは異なるタイプのパチンコ機等にも適用できる。また、パチンコ機以外にも、雀球、スロットマシン、パチンコ機とスロットマシンとを融合させた遊技機等の各種遊技機として実施することも可能である。
【００６７】
なお、スロットマシンの基本構成としては、「複数の識別図柄からなる識別図柄列を変動表示した後に識別図柄を確定表示する表示手段としてのリールを備え、遊技者が始動用操作手段としてのスタートレバーを叩き、リールが回転することにより識別図柄が変動し、遊技者が停止用操作手段としてのストップボタンを押すことによって、又は、所定時間が経過することによってリールが停止し、識別図柄が特定の停止態様（組合せ）で停止表示されることを必要条件として遊技者に有利な特別遊技価値（大当たり状態）を付与する遊技価値付与手段とを備えた遊技機」となる。この場合、遊技媒体はコイン、メダル等が代表例として挙げられる。
【００６８】
パチンコ機とスロットマシンとを融合させた遊技機の基本構成としては、「複数の識別図柄からなる識別図柄列を変動表示した後に識別図柄を確定表示する表示手段としてのリールを備え、遊技者が始動用操作手段としてのスタートレバーを叩き、リールが回転することにより識別図柄が変動し、遊技者が停止用操作手段としてのストップボタンを押すことによって、又は、所定時間が経過することによってリールが停止し、識別図柄が特定の停止態様（組合せ）で停止表示されることを必要条件として遊技者に有利な特別遊技価値（大当たり状態）を付与する遊技価値付与手段とを備え、遊技媒体として遊技球を使用するとともに、識別図柄の変動開始に際しては所定数の遊技球を必要とし、特別遊技価値としての大当たり状態の発生に際しては多くの遊技球が払い出されるよう構成されてなる遊技機」となる。
【図面の簡単な説明】
【図１】一実施の形態におけるパチンコ機を示す正面図である。
【図２】下部コーナー飾りユニットを示す斜視図である。
【図３】下部コーナー飾りユニットを示す分解斜視図である。
【図４】第１のカバーの背面側を示す斜視図である。
【符号の説明】
１…遊技機としてのパチンコ機、５…遊技盤、１３…作動チャッカー、１４…可変表示装置、２０…液晶表示部、５１…下部コーナー飾りユニット、５２…基部、６１…透光カバー又は透明部材或いは半透明部材としての第１のカバー、６２…光照射手段を構成する岩部材、６３…光照射手段を構成するランプ基板、６３ｂ…ＬＥＤ、７１…カバー部材、７６…第２のカバー、８１…平板部、８５…隠蔽手段を構成する絵柄凸部。
【図１】
2004073359.tif 000003
【図２】
2004073359.tif 000004
【図３】
2004073359.tif 000005
【図４】
2004073359.tif 000006